(57)【要約】      （修正有）【課題】エレクトロニクス機器部品という素材本来の用途・目的に拘わらず視点を変えて、部品どうしの連関性・相互の発展性・精密製・仕上げの良さ・耐久性蝕性・その他、このハイテクパーツ類の持つ属性を美しさとして捉え、機能的美しさ創出する今日的装身具及び装飾具化することで、新ジャンルを開く。【解決手段】素材の本来の用途を廃棄し、視点を変えて単に無機的素材として捉え、これらを組合せることでイメージを想起させるロボットを追及した組合せの装身具及び装飾具としている。【選択図】図１
0003119019.tif 000002
【実用新案登録請求の範囲】
【請求項１】
２個の差込型ＩＣソケット１６ピン（１）の上ピースのピン端子のうち８本を下ピースの差込孔に段違いに嵌合した階段型ブロック（図２・Ａ）を頭部と見立て、２個の差込型ＩＣソケット８ピン（２）の上ピースのピン端子を８本とも下ピースの差込孔に嵌合した立方体ブロック（図２・Ｂ）を頭部の下ピースのピン端子８本に連結し首部と見立て、２個の差込型ＩＣソケット１６ピン（１）の上ピースのピン端子１６本を下ピースの差込孔に嵌合した長方形ブロック（図２・Ｃ）の上ピースの両端差込孔を４孔ずつ残し中央の差込孔８孔に図２・Ｂのピン端子を連結し肩部と見立て、肩部の両端のピン端子を４本ずつ残し中央のピン端子８本に、２個の差込型ＩＣソケット８ピン（２）を立方体ブロック化（図２・Ｂ）したものを２ブロック連結し胴部と見立てる。頭部中央開口部から目に見立てた銅玉（６）を２個通したステンレスワイヤー（７）の先２本を胴部開口部下部まで貫通させ、ステンレスワイヤー（７）に銅玉（６）、圧着スリーブ（３）、銅玉（６）、圧着スリーブ（３）、銅玉（６）、圧着スリーブ（３）、銅玉（６）、圧着Ｙ型端子（５）、銅玉（６）と順に通し曲げ止めし尾と見立て、肩部両端の開口部の片側からステンレスワイヤー（７）を通し左右各々に銅玉（６）２個、圧着スリーブ（３）、銅玉（６）、圧着スリーブ（３）、銅玉（６）、圧着Ｙ型端子（５）、銅玉（６）を通し曲げ止めし手と見立て、胴部下部の両横開口部の片側からステンレスワイヤー（７）を通し左右各々に圧着スリーブ（３）、銅玉（６）、圧着スリーブ（３）、銅玉（６）、圧着スリーブ（３）、銅玉（６）、圧着スリーブ（３）、銅玉（６）、圧着Ｒ型端子（４）、銅玉（６）と通し曲げ止めし足と見立てたエレクトロニス機器部品を組合せたロボット型装身具及び装飾具。
【考案の詳細な説明】
【技術分野】
【０００１】  本考案は、エレクトロニクス機器部品を組合せることによりミニロボットを想起させる装身具及び装飾具としたアクセサリー分野に関するものである。
【背景技術】
【０００２】  従来の装身具及び装飾具は部品も含めて、装身具及び装飾具専用に製造されるというのが手段としても常套なものであった。
【考案の開示】
【考案が解決しようとする課題】
【０００３】  従来の装身具及び装飾具は部品も含めて次のような欠点があった。
（イ）ハイテクノロジー、ロボット等、機能性をイメージさせる様な装身具及び装飾具は今まで殆ど存在していない。
（ロ）素材自体の価値に意味を見てアイディアの面白いものは殆どなかった。
（ハ）イメージ商品は自然物、動植物が殆どで概念化されたものばかりで新規性を感じられない。
（二）装身具及び装飾具は装身具及び装飾具用として専用に創られるため、量産化はされずコストの高いものになっている。
（ホ）量産化できる成形型のものは同型を量産できるがデザインの変更がきかない。
本考案は、これらの欠点を解決することを目的になされたものである。
【課題を解決するための手段】
【０００４】  エレクトロニクス機器部品という素材本来の用途・目的に拘わらず視点を変えて、部品どうしの連関性・相互の発展性・精密製・仕上げの良さ・耐久性蝕性・その他、このハイテクパーツ類の持つ属性を美しさとして捉え、機能的美しさ創出する今日的装身具及び装飾具化することで、新ジャンルを開く。
【考案の効果】
【０００５】  本考案は、これからの暮らしに現れてくるロボット、マイクロマシン等のイメージにマッチした製品として感覚的の先取りをする。【０００６】  在来にない新しいハイテクイメージの装身具及び装飾具類のジャンルを開く。【０００７】  素材の外観の美しさに意味があるため、外観が整っていれば内部に故障、欠陥があっても活用できる。【０００８】  リサイクル品でも外観が整っていれば利用する事ができる。【０００９】  エレクトロニクス機器部品の種類は多種多様にあるので、感性の赴くままその組合せによる新製品はほぼ無限に近い。
【考案を実施するための最良の形態】
【００１０】  本考案では、素材本来の用途を廃棄し、視点を変えて単に無機的素材として捉え、これらを組合せることでイメージを想起させるロボットを追及した組合せの装身具及び装飾具としている。差込型ＩＣソケット１６ピン（１）及び８ピン（２）をブロック化することで大・小の組合でいかようにも形状変化でき、恐竜型だけでなく人型・動物型・乗り物型と多種多様なバリエーション展開を計ることができる。ブロック化することにより上下左右に開口部ができ、そこにステンレスワイヤー（７）を貫通させ、銅玉（６）、圧着スリーブ（３）等を通し曲げ止めすることで図１の手、足、尾等に見立てることができる。さらに手、足、尾に使用した銅玉（６）は関節にもなり、手、足、尾に自由自在な動きをもたらす。
【実施例】
【００１１】  以下、実施例について図面を参照に説明すると、図１・２・３において本考案の実施形態を例示している。２個の差込型ＩＣソケット１６ピン（１）の上ピースのピン端子のうち８本を下ピースの差込孔に段違いに嵌合した階段型ブロック（図２・Ａ）を頭部と見立て、２個の差込型ＩＣソケット８ピン（２）の上ピースのピン端子を８本とも下ピースの差込孔に嵌合した立方体ブロック（図２・Ｂ）を頭部の下ピースのピン端子８本に連結し首部と見立て、２個の差込型ＩＣソケット１６ピン（１）の上ピースのピン端子１６本を下ピースの差込孔に嵌合した長方形ブロック（図２・Ｃ）の上ピースの両端差込孔を４孔ずつ残し中央の差込孔８孔に図２・Ｂのピン端子を連結し肩部と見立て、肩部の両端のピン端子を４本ずつ残し中央のピン端子８本に、２個の差込型ＩＣソケット８ピン（２）を立方体ブロック化（図２・Ｂ）したものを２ブロック連結し胴部と見立てる。頭部中央開口部から目に見立てた銅玉（６）を２個通したステンレスワイヤー（７）の先２本を胴部開口部下部まで貫通させ、ステンレスワイヤー（７）に銅玉（６）、圧着スリーブ（３）、銅玉（６）、圧着スリーブ（３）、銅玉（６）、圧着スリーブ（３）、銅玉（６）、圧着Ｙ型端子（５）、銅玉（６）と順に通し曲げ止めし尾と見立て、肩部両端の開口部の片側からステンレスワイヤー（７）を通し左右各々に銅玉（６）２個、圧着スリーブ（３）、銅玉（６）、圧着スリーブ（３）、銅玉（６）、圧着Ｙ型端子（５）、銅玉（６）を通し曲げ止めし手と見立て、胴部下部の両横開口部の片側からステンレスワイヤー（７）を通し左右各々に圧着スリーブ（３）、銅玉（６）、圧着スリーブ（３）、銅玉（６）、圧着スリーブ（３）、銅玉（６）、圧着スリーブ（３）、銅玉（６）、圧着Ｒ型端子（４）、銅玉（６）と通し曲げ止めし足と見立てる。【００１２】  組合せ使用するエレクトロニクス機器部品類はその使用に合せて予め事前準備をしておく必要がある。【００１３】  差込型ＩＣソケット１６ピン（１）及び８ピン（２）は夫々ブロック化（図２）しておく。【００１４】  足に使用する圧着Ｒ型端子（４）はＲ型と筒状部分の真ん中で曲げておく。【００１５】  組立てたロボット型装身具及び装飾具に設けた吊り下げポイントはアクセサリーとして使用する場合のチェーン或いはワイヤー通し、リングフック、バチカン止め等に使用するためのポイントとして設けたものである。
【産業上の利用可能性】
【００１６】  本考案は、シンプルで安価なエレクトロニクス機器部品の組合せにより低コストで生産可能。【００１７】  簡易組立で生産性が高い。【００１８】  ブロック化したものは大・小の組合せでいかようにも形状変化し、恐竜型・人型・動物型・乗り物型等、多種多様のデザインが可能である。【００１９】  エレクトロニクス機器部品は新品でなくても使用可能でエコロジー効果の産業上の利用可能性が高い。【００２０】  エレクトロニクス機器部品は世界共通性を持ち国際的にも産業化できる。【００２１】  新感覚の装身具及び装飾具及び装飾具であり幅広い年代層に対応できる。
【図面の簡単な説明】
【００２２】
【図１】  本考案のエレクトロニクス機器部品を組合せた恐竜ロボット型装身具及び装飾具の外観斜視図
【図２】  図１のブロック化ユニット展開図
【図３】  図１の展開図
【符号の説明】
【００２３】１  差込型ＩＣソケット１６ピン
２  差込型ＩＣソケット８ピン
３  圧着スリーブ
４  圧着Ｒ型端子
５  圧着Ｙ型端子
６  銅玉
７  ステンレスワイヤー
【図１】
0003119019.tif 000003
【図２】
0003119019.tif 000004
【図３】
0003119019.tif 000005
【手続補正書】
【提出日】平成17年11月21日(2005.11.21)
【手続補正１】
【補正対象書類名】実用新案登録請求の範囲
【補正対象項目名】請求項１
【補正方法】変更
【補正の内容】
【請求項１】
エレクトロニクス機器部品を組み合わせたロボット型装飾具であって、２個の差込型１６ピンＩＣソケット（１）の上ピースのピン端子のうち８本を下ピースの差込孔に段違いに嵌合した階段型ブロック（図２・Ａ）でなる頭部と、２個の差込型８ピンＩＣソケット（２）の上ピースのピン端子を８本とも下ピースの差込孔に嵌合した立方体ブロック（図２・Ｂ）でなる首部と、２個の差込型１６ピンＩＣソケットの上ピースのピン端子を１６本とも下ピースの差込孔に嵌合した長方形ブロック（図２・Ｃ）でなる肩部と、４個の差込型８ピンＩＣソケットを縦に組み上げてなる胴部と、前記頭部から胴部までのＩＣソケットの開口部に貫通させたステンレスワイヤー（７）の頭頂部で銅玉（６）を２つ貫通させてなる眼球部と、前記胴部から下に延在する前記ステンレスワイヤーに銅玉、圧着スリーブ（３）、銅玉、圧着スリーブ、銅玉、圧着スリーブ、銅玉、圧着Ｙ型端子（５）、銅玉を順に通してなる尾部と、前記肩部の左右方向にステンレスワイヤーを貫通させ前記肩部の左右に各々銅玉２個、圧着スリーブ、銅玉、圧着スリーブ、銅玉、圧着Ｙ型端子、銅玉、を順に通してなる手部と、前記胴部の下端部近傍の左右方向にステンレスワイヤーを貫通させ前記胴部の左右の各々圧着スリーブ、銅玉、圧着スリーブ、銅玉、圧着スリーブ、銅玉、圧着スリーブ、銅玉、圧着Ｒ型端子（４）、銅玉を順に通してなる足部とを備えることを特徴とする装飾具。